(57)【要約】【課題】光情報記録媒体の温度を効率よく調整し、簡易な構成により装置を小型化する。【解決手段】ホログラフィック情報記録再生装置（装置）１００の内部の温度を測定する第１温度測定工程と、ホログラフィック情報記録媒体（記録媒体）１の表面温度を測定する第２温度測定工程と、照射光および参照光の出射を停止した状態において、記録媒体１の表面温度と装置１００の内部の温度との温度差が所定範囲外である場合に、記録時および再生時の回転速度より高速の回転速度である高速回転速度で記録媒体１の回転駆動を開始する駆動開始工程と、高速回転速度での回転駆動を開始した後、温度差が所定範囲以内になった場合に回転駆動を停止する駆動停止工程と、温度差が所定範囲以内である場合に情報の記録を行う情報記録工程と、温度差が所定範囲以内である場合に情報の再生を行う情報再生工程とを含む。【選択図】        図１
2010211837.tif 000002
【特許請求の範囲】
【請求項１】
光情報記録再生装置で実行される光情報記録再生方法において、
前記光情報記録再生装置の内部の温度を測定する第１温度測定工程と、
光源から出射された照射光から変換され、情報を担持する情報光と参照光との干渉によって生じる干渉縞によって、前記情報をホログラムとして記録可能な情報記録層を有する光情報記録媒体の表面温度を測定する第２温度測定工程と、
前記照射光および前記参照光の出射を停止した状態において、前記光情報記録媒体の表面温度と前記光情報記録再生装置の内部の温度との温度差が予め定めた所定範囲外である場合に、記録時の回転速度および再生時の回転速度より高速の回転速度である高速回転速度で前記光情報記録媒体の回転駆動を開始する駆動開始工程と、
前記高速回転速度での前記回転駆動を開始した後、前記温度差が予め定めた所定範囲以内になった場合に、前記高速回転速度での前記回転駆動を停止する駆動停止工程と、
前記温度差が予め定めた所定範囲以内である場合に、前記光源から前記照射光を出射させ、前記情報光を集光させるとともに前記参照光を出射させて前記情報記録層に前記情報の記録を行う情報記録工程と、
前記温度差が予め定めた所定範囲以内である場合に、前記参照光を出射させることで受光した再生光により前記情報記録層に記録された情報の再生を行う情報再生工程と、
を含むことを特徴とする光情報記録再生方法。
【請求項２】
光情報記録再生装置で実行される光情報記録再生方法において、
光源から出射された照射光から変換され、情報を担持する情報光と参照光との干渉によって生じる干渉縞によって、前記情報をホログラムとして記録可能な情報記録層を有する光情報記録媒体を収容するカートリッジの外部の温度を測定する第３温度測定工程と、
前記光情報記録媒体の表面温度を測定する第４温度測定工程と、
前記照射光および前記参照光の出射を停止した状態において、前記光情報記録媒体の表面温度と前記カートリッジの外部の温度との温度差が予め定めた所定範囲外である場合に、記録時の回転速度および再生時の回転速度より高速の回転速度である高速回転速度で前記光情報記録媒体の回転駆動を開始する駆動開始工程と、
前記高速回転速度での前記回転駆動を開始した後、前記温度差が予め定めた所定範囲以内になった場合に、前記高速回転速度での前記回転駆動を停止する駆動停止工程と、
前記温度差が予め定めた所定範囲以内である場合に、前記光源から前記照射光を出射させ、前記情報光を集光させるとともに前記参照光を出射させて前記情報記録層に前記情報の記録を行う情報記録工程と、
前記温度差が予め定めた所定範囲以内である場合に、前記参照光を出射させることで受光した再生光により前記情報記録層に記録された情報の再生を行う情報再生工程と、
を含むことを特徴とする光情報記録再生方法。
【請求項３】
光源から出射された照射光を、情報を担持する情報光に変換する空間光変調器と、
前記情報光と参照光との干渉によって生じる干渉縞によって、前記情報をホログラムとして記録可能な情報記録層を有する光情報記録媒体に前記情報光を集光させるとともに、前記参照光を前記光情報記録媒体に照射させる光学機構と、
前記光情報記録媒体を回転駆動する駆動部と、
前記参照光が照射された前記情報記録層から出射される前記情報の再生光を受光する受光部と、
前記光源から前記照射光を出射させ、前記情報光を集光させるとともに前記参照光を出射させて前記情報記録層に前記情報の記録を行い、前記参照光を出射させることで受光した再生光により前記情報記録層に記録された情報の再生を行う制御部と、
前記光情報記録再生装置の内部の温度を測定する第１温度測定部と、
前記光情報記録媒体の表面温度を測定する第２温度測定部と、を備え、
前記制御部は、さらに、前記照射光および前記参照光の出射を停止した状態において、前記光情報記録媒体の表面温度と前記光情報記録再生装置の内部の温度との温度差に応じて、記録時の回転速度および再生時の回転速度より高速の回転速度である高速回転速度で、前記駆動部による前記光情報記録媒体の回転駆動の開始および停止を制御し、前記温度差が予め定めた所定範囲外である場合に、前記高速回転速度での前記回転駆動を開始するよう制御することを特徴とする光情報記録再生装置。
【請求項４】
光源から出射された照射光を、情報を担持する情報光に変換する空間光変調器と、
前記情報光と参照光との干渉によって生じる干渉縞によって、前記情報をホログラムとして記録可能な情報記録層を有し、カートリッジに収容された光情報記録媒体に前記情報光を集光させるとともに、前記参照光を前記光情報記録媒体に照射させる光学機構と、
前記光情報記録媒体を回転駆動する駆動部と、
前記参照光が照射された前記情報記録層から出射される前記情報の再生光を受光する受光部と、
前記光源から前記照射光を出射させ、前記情報光を集光させるとともに前記参照光を出射させて前記情報記録層に前記情報の記録を行い、前記参照光を出射させることで受光した再生光により前記情報記録層に記録された情報の再生を行う制御部と、
前記カートリッジの外部の温度を測定する第３温度測定部と、
前記光情報記録媒体の表面温度を測定する第４温度測定部と、を備え、
前記制御部は、さらに、前記照射光および前記参照光の出射を停止した状態において、前記光情報記録媒体の表面温度と前記カートリッジの外部の温度との温度差に応じて、記録時の回転速度および再生時の回転速度より高速の回転速度である高速回転速度で、前記駆動部による前記光情報記録媒体の回転駆動の開始および停止を制御し、前記温度差が予め定めた所定範囲外である場合に、前記高速回転速度での前記回転駆動を開始するよう制御することを特徴とする光情報記録再生装置。
【請求項５】
前記光情報記録再生装置の内部の温度を調整する温度調整部をさらに備え、
前記制御部は、前記光情報記録再生装置の内部の温度が所定の範囲以内に調整された後に、前記高速回転速度での前記回転駆動を制御することを特徴とする請求項３に記載の光情報記録再生装置。
【請求項６】
前記制御部は、連続する一連の記録処理である記録動作の前または連続する一連の再生動作の前の前記照射光および前記参照光の出射を停止した状態において、前記高速回転速度での前記回転駆動を制御することを特徴とする請求項３に記載の光情報記録再生装置。
【請求項７】
前記制御部は、前記記録動作の区間内または前記再生動作の区間内における前記照射光および前記参照光の出射を停止した状態において、前記高速回転速度での前記光情報記録媒体の前記駆動部による回転駆動を制御することを特徴とする請求項３に記載の光情報記録再生装置。
【請求項８】
前記光情報記録再生装置の内部の温度を調整する温度調整部をさらに備え、
前記制御部は、前記光情報記録再生装置の内部の温度が所定の温度に調整された後に、前記高速回転速度での前記回転駆動を制御することを特徴とする請求項４に記載の光情報記録再生装置。
【請求項９】
前記制御部は、連続する一連の記録処理である記録動作の前または連続する一連の再生動作の前の前記照射光および前記参照光の出射を停止した状態において、前記高速回転速度での前記回転駆動を制御することを特徴とする請求項４に記載の光情報記録再生装置。
【請求項１０】
前記制御部は、前記記録動作の区間内または前記再生動作の区間内における前記照射光および前記参照光の出射を停止した状態において、前記高速回転速度での前記光情報記録媒体の前記駆動部による回転駆動を制御することを特徴とする請求項４に記載の光情報記録再生装置。
【発明の詳細な説明】
【技術分野】
【０００１】
本発明は、光情報記録媒体に情報をホログラムとして記録再生する光情報記録再生方法および光情報記録再生装置に関する。
【背景技術】
【０００２】
従来、高密度画像など容量の大きな情報を記録可能な情報記録装置として光情報記録再生装置がある。この光情報記録再生装置としては、光磁気情報記録再生装置や光相変化型情報記録再生装置などが実用化されているが、光情報記録媒体に記録する情報量の高容量化に対する要求は高まる一方である。近年では、このような高容量の情報の記録を実現するために、ホログラフィ、特にデジタルボリュームホログラフィを用いたホログラム型の光情報記録再生装置が提案されている。
【０００３】
このようなホログラフィを用いた光情報記録再生装置は、一般に、２次元パターンとして情報が担持された情報光と参照光とを光情報記録媒体の内部で干渉させ、情報を干渉縞として記録する。そして、再生時には、記録された干渉縞に対して参照光のみを照射することにより、干渉縞からの回折像として記録された情報を２次元パターンとして取り出すことができるため、高速で情報の記録再生ができるという利点を有する。
【０００４】
また、特にデジタルボリュームホログラフィを用いた光情報記録再生装置では光情報記録媒体の厚み方向を積極的に活用して３次元的に干渉縞を記録することにより、回折効率を高め、光情報記録媒体の内部の同一領域に多重に情報を記録することを可能にし、記録容量を増大できるという特徴がある。
【０００５】
ここで、ホログラフィックストレージにおける温度変化の影響に関しては、例えば特許文献１に詳細に記載されている。また、ホログラム装置の筐体内の温度制御に関しては、例えば特許文献２に記載されている。また、ホログラフィックストレージに用いられるホログラフィック情報記録媒体のカートリッジ構造に関しては、例えば特許文献３に記載されている。
【先行技術文献】
【特許文献】
【０００６】
【特許文献１】米国特許第６，３４８，９８３号明細書
【特許文献２】特開２００７−４１３６０号公報
【特許文献３】特開２００５−２４３１１８号公報
【発明の概要】
【発明が解決しようとする課題】
【０００７】
しかしながら、ホログラフィを用いた光情報記録再生装置では、記録された情報を再生する場合、光情報記録媒体に照射する参照光の角度を利用して、多重記録されたうちの特定の情報にアクセスする。従って、光情報記録媒体の体積が変化してしまうと、所望の情報に参照光が照射できないため、該所望の情報を再生できなくなってしまう。ここで、ホログラフィを用いた光情報記録媒体の材料としてはフォトポリマーが有力視されているが、フォトポリマーは熱膨張係数が大きいことから、光情報記録媒体の体積が変化しやすい。従って、フォトポリマーなどを用いた光情報記録媒体に情報を記録する光情報記録再生装置では、体積の変化を抑制するため、光情報記録媒体の温度を効率よく調整することが求められている。
【０００８】
本発明は、上記に鑑みてなされたものであって、光情報記録媒体の温度を効率よく調整するとともに、光情報記録媒体に近接させる温度調節機構を設けることなく簡易な構成により小型化できる光情報記録再生方法および光情報記録再生装置を得ることを目的とする。
【課題を解決するための手段】
【０００９】
上述した課題を解決し、目的を達成するために、本発明は、光情報記録再生装置で実行される光情報記録再生方法において、前記光情報記録再生装置の内部の温度を測定する第１温度測定工程と、光源から出射された照射光から変換され、情報を担持する情報光と参照光との干渉によって生じる干渉縞によって、前記情報をホログラムとして記録可能な情報記録層を有する光情報記録媒体の表面温度を測定する第２温度測定工程と、前記照射光および前記参照光の出射を停止した状態において、前記光情報記録媒体の表面温度と前記光情報記録再生装置の内部の温度との温度差が予め定めた所定範囲外である場合に、記録時の回転速度および再生時の回転速度より高速の回転速度である高速回転速度で前記光情報記録媒体の回転駆動を開始する駆動開始工程と、前記高速回転速度での前記回転駆動を開始した後、前記温度差が予め定めた所定範囲以内になった場合に、前記高速回転速度での前記回転駆動を停止する駆動停止工程と、前記温度差が予め定めた所定範囲以内である場合に、前記光源から前記照射光を出射させ、前記情報光を集光させるとともに前記参照光を出射させて前記情報記録層に前記情報の記録を行う情報記録工程と、前記温度差が予め定めた所定範囲以内である場合に、前記参照光を出射させることで受光した再生光により前記情報記録層に記録された情報の再生を行う情報再生工程と、を含むことを特徴とする。
【００１０】
また、本発明は、光情報記録再生装置で実行される光情報記録再生方法において、光源から出射された照射光から変換され、情報を担持する情報光と参照光との干渉によって生じる干渉縞によって、前記情報をホログラムとして記録可能な情報記録層を有する光情報記録媒体を収容するカートリッジの外部の温度を測定する第３温度測定工程と、前記光情報記録媒体の表面温度を測定する第４温度測定工程と、前記照射光および前記参照光の出射を停止した状態において、前記光情報記録媒体の表面温度と前記カートリッジの外部の温度との温度差が予め定めた所定範囲外である場合に、記録時の回転速度および再生時の回転速度より高速の回転速度である高速回転速度で前記光情報記録媒体の回転駆動を開始する駆動開始工程と、前記高速回転速度での前記回転駆動を開始した後、前記温度差が予め定めた所定範囲以内になった場合に、前記高速回転速度での前記回転駆動を停止する駆動停止工程と、前記温度差が予め定めた所定範囲以内である場合に、前記光源から前記照射光を出射させ、前記情報光を集光させるとともに前記参照光を出射させて前記情報記録層に前記情報の記録を行う情報記録工程と、前記温度差が予め定めた所定範囲以内である場合に、前記参照光を出射させることで受光した再生光により前記情報記録層に記録された情報の再生を行う情報再生工程と、を含むことを特徴とする。
【００１１】
また、本発明の光情報記録再生装置は、光源から出射された照射光を、情報を担持する情報光に変換する空間光変調器と、前記情報光と参照光との干渉によって生じる干渉縞によって、前記情報をホログラムとして記録可能な情報記録層を有する光情報記録媒体に前記情報光を集光させるとともに、前記参照光を前記光情報記録媒体に照射させる光学機構と、前記光情報記録媒体を回転駆動する駆動部と、前記参照光が照射された前記情報記録層から出射される前記情報の再生光を受光する受光部と、前記光源から前記照射光を出射させ、前記情報光を集光させるとともに前記参照光を出射させて前記情報記録層に前記情報の記録を行い、前記参照光を出射させることで受光した再生光により前記情報記録層に記録された情報の再生を行う制御部と、前記光情報記録再生装置の内部の温度を測定する第１温度測定部と、前記光情報記録媒体の表面温度を測定する第２温度測定部と、を備え、前記制御部は、さらに、前記照射光および前記参照光の出射を停止した状態において、前記光情報記録媒体の表面温度と前記光情報記録再生装置の内部の温度との温度差に応じて、記録時の回転速度および再生時の回転速度より高速の回転速度である高速回転速度で、前記駆動部による前記光情報記録媒体の回転駆動の開始および停止を制御し、前記温度差が予め定めた所定範囲外である場合に、前記高速回転速度での前記回転駆動を開始するよう制御することを特徴とする。
【００１２】
また、本発明の光情報記録再生装置は、光源から出射された照射光を、情報を担持する情報光に変換する空間光変調器と、前記情報光と参照光との干渉によって生じる干渉縞によって、前記情報をホログラムとして記録可能な情報記録層を有し、カートリッジに収容された光情報記録媒体に前記情報光を集光させるとともに、前記参照光を前記光情報記録媒体に照射させる光学機構と、前記光情報記録媒体を回転駆動する駆動部と、前記参照光が照射された前記情報記録層から出射される前記情報の再生光を受光する受光部と、前記光源から前記照射光を出射させ、前記情報光を集光させるとともに前記参照光を出射させて前記情報記録層に前記情報の記録を行い、前記参照光を出射させることで受光した再生光により前記情報記録層に記録された情報の再生を行う制御部と、前記カートリッジの外部の温度を測定する第３温度測定部と、前記光情報記録媒体の表面温度を測定する第４温度測定部と、を備え、前記制御部は、さらに、前記照射光および前記参照光の出射を停止した状態において、前記光情報記録媒体の表面温度と前記カートリッジの外部の温度との温度差に応じて、記録時の回転速度および再生時の回転速度より高速の回転速度である高速回転速度で、前記駆動部による前記光情報記録媒体の回転駆動の開始および停止を制御し、前記温度差が予め定めた所定範囲外である場合に、前記高速回転速度での前記回転駆動を開始するよう制御することを特徴とする。
【発明の効果】
【００１３】
本発明によれば、光情報記録媒体の温度を効率よく調整するとともに、光情報記録媒体に近接させる温度調節機構を設けることなく簡易な構成により装置を小型化できるという効果を奏する。
【図面の簡単な説明】
【００１４】
【図１】図１は、ホログラフィック情報記録再生装置１００の光学系の構成を示す模式図である。
【図２】図２は、空間光変調器７に表示される２次元情報の一例を示す図である。
【図３−１】図３−１は、情報の記録時における温度制御を行うタイミングの説明図である。
【図３−２】図３−２は、情報の再生時における温度制御を行うタイミングの説明図である。
【図４】図４は、ホログラフィック情報記録再生装置１００による温度制御処理の手順を示すフローチャートである。
【図５−１】図５−１は、ホログラフィック情報記録媒体１の正面図である。
【図５−２】図５−２は、ホログラフィック情報記録媒体１の側面図である。
【図５−３】図５−３は、ホログラフィック情報記録媒体１の側面図である。
【図５−４】図５−４は、ホログラフィック情報記録媒体１の底面図である。
【図６】図６は、ホログラフィック情報記録再生装置１００による温度制御処理の手順を示すフローチャートである。
【発明を実施するための形態】
【００１５】
以下に添付図面を参照して、この発明にかかる光情報記録再生方法および光情報記録再生装置の最良な実施の形態を詳細に説明する。
【００１６】
（実施の形態１）
図１は、実施の形態１にかかるホログラフィック情報記録再生装置１００の主要構成を示す模式図である。本実施の形態のホログラフィック情報記録再生装置１００では、情報光と参照光は、別々のレンズ等を経てホログラフィック情報記録媒体１で重なるようにホログラフィック情報記録媒体１に入射させる方式である二光束方式の光学系を採用している。ただし、光学系は、二光束方式に限定されるものではなく、情報光と参照光を同一の対物レンズ等を経て同一方向から同一の中心軸を共有するようにホログラフィック情報記録媒体１に入射させる同軸方式（コリニア方式）を光学系として採用してもよい。
【００１７】
図１に示すホログラフィック情報記録再生装置１００は、筐体２３の内部にシステムコントローラ２００と、光学系とを備えている。光学系としては、半導体レーザ装置２と、旋光用光学素子３と、偏光ビームスプリッタ４と、ビームエキスパンダ５と、ミラー６と、空間光変調器７と、対物レンズ８と、ピックアップレンズ９と、２次元撮像素子１０と、旋光用光学素子１１と、ガルバノミラー１２と、リレーレンズ１３、１４とが主に設けられている。システムコントローラ２００は、制御部１８と、駆動部１９と、画像取得部２０と、画像処理部２１と、加熱冷却装置２２とが設けられている。また、筐体２３の内部には、ステッピングモータ１５と、温度センサ１６と、温度センサ１７とが設けられている。
【００１８】
半導体レーザ装置２は、レーザ光を出射するレーザ光源（光源装置）である。ここで、本実施の形態では、光源装置として半導体レーザ装置を用いた例を示すが、これに限定されることはなく、光源装置としてＨｅ−Ｎｅレーザ、アルゴンレーザ、ＹＡＧレーザなどを用いてもよい。
【００１９】
半導体レーザ装置２から出射したレーザ光は、旋光用光学素子３に入射して所要の光路差を与えられて偏光ビームスプリッタ４に入射し、偏光ビームスプリッタにより２つのレーザ光に分割される。偏光ビームスプリッタ４で反射したレーザ光は参照光となり、偏光ビームスプリッタ４を透過したレーザ光は情報光となる。ここで、旋光用光学素子３としては、１／２波長板や１／４波長板などを用いることができる。
【００２０】
偏光ビームスプリッタ４を透過したレーザ光は、上述したように情報光として用いられる。情報光は、ビームエキスパンダ５によって、径が拡張されて平行光束とされた後、ミラー６で反射して反射型の空間光変調器７に照射される。
【００２１】
空間光変調器７は、格子状に２次元に配置された複数の画素を有しており、画素毎に反射光の方向を変えたり、画素毎に反射光の偏光方向を変えることによって、ミラー６で反射して入射してきた情報光を強度変調して、情報を担持した情報光に変換するものである。本実施の形態では、反射型の空間光変調器７として、デジタルミラーデバイスを用いた構成を示している。図２は、空間光変調器７に表示される２次元情報の一例を示す図である。この２次元情報は、システムコントローラ２００の制御部１８により形成されるものであり、多数の明点と暗点から構成され、記録すべき情報をデジタル符号化し、エラー訂正を織り込んだ２値化パターン（ページデータ）となっている。
【００２２】
そして、空間光変調器７によって情報が担持された情報光は、対物レンズ８によってホログラフィック情報記録媒体１の情報記録層に集光して収束照射される。また、ホログラフィック情報記録媒体１は、駆動部１９とステッピングモータ１５により駆動するステージ（図示せず）に固定されている。
【００２３】
一方、偏光ビームスプリッタ４によって反射されたレーザ光は、上述したように参照光として用いられる。参照光は、旋光用光学素子１１によって情報光と干渉し得る偏光成分を有するレーザ光とされる。旋光用光学素子１１としては、主に１／２波長板を用いることができる。旋光用光学素子１１を透過した参照光は、ガルバノミラー１２、リレーレンズ１３、１４を伝達して、入射角度を変えてホログラフィック情報記録媒体１の情報記録層の情報光と同一のスポットに照射される。
【００２４】
このように、情報光と参照光とがホログラフィック情報記録媒体１の情報記録層の情報光と同一のスポットに照射されることにより、情報記録層にホログラムとして情報が記録される。図１に示す構成では、記録時の参照光の入射角度を変えることによりホログラムの角度多重記録が可能である。
【００２５】
本実施の形態にかかるホログラフィック情報記録媒体１は、透過型の記録媒体であり、対向する２つの基板と、２つの基板との間に挟持された情報記録層とを含んでいる。
【００２６】
基板は、ガラス、ポリカーボネート、アクリル樹脂等の光透過性を有する材質で形成される。ただし、基板の材質は、これらに限定されるものではなく、例えば、全波長のレーザ光に対して透過性を有する必要はなく、使用するレーザ光の波長に対する透過性を有する材質で形成されていればよい。
【００２７】
情報記録層は、ホログラム記録材料から形成されている。ホログラム記録材料は、レーザ光の干渉縞を、屈折率や透過率等の光学特性として記録できる材料である。ホログラム記録材料としては、フォトポリマーが代表的である。フォトポリマーは、重合性化合物（モノマー）の光重合を利用した感光材料であり、主成分としてモノマー、光重合開始剤、及び記録前後での体積保持の役割を担う多孔質構造を持つマトリクスを含有するのが一般的である。
【００２８】
このような光学系により、ホログラフィック情報記録媒体１の情報記録層へのホログラム記録は、次のように行われる。まず、情報光と参照光を情報記録層中で重ね合わせて干渉縞を形成する。この時、フォトポリマー中の光重合開始剤がフォトンを吸収して活性化し、干渉縞明部のモノマーの重合を発動・促進させる。モノマーの重合が進行して干渉縞明部に存在するモノマーが消費されると、干渉縞暗部から明部にモノマーが移動供給され、結果、干渉縞パターンの明部と暗部に密度差が生じる。これにより、干渉縞パターンの強度分布に応じた屈折率変調が形成されホログラム記録が行われる。
【００２９】
情報再生時は、記録されたホログラムに対して記録時と同じ入射角度で参照光のみを照射する。照射された参照光の一部は、ホログラフィック情報記録媒体１を透過する際にホログラムよって回折され、情報光を再現する再生光として出射する。再生光は、ピックアップレンズ９により略平行光束となり、ＣＭＯＳもしくはＣＣＤで構成された２次元撮像素子１０で結像された２次元画像として受光される。そして、この再生光を電気信号に変換した再生信号を画像取得部２０に送出し、画像取得部２０は、送出された再生信号からページをデコードしてデータを取得し、画像処理部２１が画像処理を行う。以上のような情報の記録および再生は、制御部１８により制御されて行われる。
【００３０】
次に、本実施の形態におけるホログラフィック情報記録再生装置１００による、ホログラフィック情報記録媒体１の温度制御について説明する。
【００３１】
温度センサ１６は、ホログラフィック情報記録媒体１の表面温度を検出（測定）して、測定した温度を制御部１８に送出するものである。ここで、温度センサ１６としては、非接触でホログラフィック情報記録媒体１の表面温度が検出できる赤外線温度センサなどが好ましい。また、測定誤差を小さくするために、ホログラフィック情報記録媒体１をステッピングモータ１５により中心軸周りに回転駆動させながら温度を検出してもよい。
【００３２】
温度センサ１７は、筐体２３の内部（ホログラフィック情報記録再生装置１００の内部）の温度を検出（測定）して、測定した温度を制御部１８に送出するものである。温度センサ１７としては、温度センサ１６と同等の精度を有するセンサであればいずれのセンサを用いてもよい。
【００３３】
制御部１８は、温度センサ１７で測定された筐体２３の内部の温度が所定の範囲以内になるまで、筐体２３の内部の温度を調整する加熱冷却装置２２を用いて、筐体２３の内部の温度を調整する。ここで、加熱冷却装置２２としては、筐体２３の内外の熱交換を行えるものであればいずれの装置でもよいが、ペルチェ素子や冷却ファンなどを用いることができる。
【００３４】
そして、制御部１８は、温度センサ１６で測定された表面温度が予め定めた所定温度以上である場合に、その表面温度が所定温度以下になるまで、駆動部１９を介してステッピングモータ１５によりホログラフィック情報記録媒体１を中心軸周り矢印Ｒ方向に高速回転速度で回転駆動させる。また、制御部１８は、温度センサ１６で測定された表面温度と温度センサ１７で測定された筐体２３の内部の温度の温度差が予め定めた所定範囲外である場合に、その温度差が所定範囲以内の温度に達するまで、駆動部１９を介してステッピングモータ１５によりホログラフィック情報記録媒体１を中心軸周り矢印Ｒ方向に高速回転速度で回転駆動させる。
【００３５】
ここで、高速回転速度とは、ホログラフィック情報記録媒体１の情報記録層への情報の記録時の回転速度、および情報記録層に記録された情報の再生時の回転速度より高速の回転速度をいう。
【００３６】
このように、制御部１８によって、ホログラフィック情報記録媒体１を、情報の記録時の回転速度および記録された情報の再生時の回転速度より高速の高速回転速度で回転駆動させることにより、ホログラフィック情報記録媒体１の表面で気流が発生する。そして、発生した気流によってホログラフィック情報記録媒体１と筐体２３の内部との熱交換を効率よく行って、ホログラフィック情報記録媒体１の温度を効率よく調整できる。
【００３７】
ここで、上述した温度制御を行うタイミングについて説明する。ホログラフィック情報記録再生装置１００による温度制御は、半導体レーザ装置２からのレーザ光の出射を停止した状態で行う。以下、図面を参照して具体的に説明する。図３−１、３−２は、実施の形態１のホログラフィック情報記録再生装置１００による温度制御を行うタイミングの説明図である。図３−１は、情報の記録時を示しており、図３−２は、情報の再生時を示している。
【００３８】
ホログラフィック情報記録媒体１への情報の記録は、情報光および参照光を情報記録層に照射することで行うため、図３−１に示すように、情報光および参照光が出射された状態ａ１、ａ２、ａ３において、情報記録層に情報が記録されている。この連続する一連の記録処理Ｓ１の区間を記録動作と称すると、情報光および参照光の出射が停止された状態ｂ１が記録動作前であって、状態ｂ４が記録動作完了後となる。また、記録動作の区間内においては、記録を行っていない状態ｂ２、ｂ３があり、この時は、情報光および参照光の出射が停止されている。
【００３９】
従って、実施の形態１にかかるホログラフィック情報記録再生装置１００による温度制御は、記録動作前である状態ｂ１、および記録動作の区間内における記録を行っていない状態ｂ２、ｂ３の情報光および参照光が停止した状態、つまり半導体レーザ装置２からのレーザ光の出射を停止した状態で行われる。
【００４０】
また、ホログラフィック情報記録媒体１からの情報の再生は、参照光を情報記録層に照射することで行うため、図３−２に示すように、参照光が出射された状態ａ４、ａ５、ａ６において、情報記録層から情報が再生されている。この連続する一連の再生処理Ｓ２の区間を再生動作と称すると、参照光の出射が停止された状態ｂ５が再生動作前であって、状態ｂ８が再生動作完了後となる。また、再生動作の区間内においては、再生を行っていない状態ｂ６、ｂ７があり、この時は、参照光の出射が停止されている。
【００４１】
従って、本実施の形態１にかかるホログラフィック情報記録再生装置１００による温度制御は、再生動作前である状態ｂ５、および再生動作の区間内における再生を行っていない状態ｂ６、ｂ７の参照光が停止した状態、つまり半導体レーザ装置２からのレーザ光の出射を停止した状態で行われる。
【００４２】
次に、このような本実施の形態によるホログラフィック情報記録再生装置１００による温度制御処理の手順について説明する。図４は、実施の形態１によるホログラフィック情報記録再生装置１００による温度制御処理の手順を示すフローチャートである。
【００４３】
ホログラフィック情報記録媒体１に情報を記録する場合、またはホログラフィック情報記録媒体１の情報を再生する場合、まず、制御部１８は、温度センサ１７によって、筐体２３の内部の温度を測定する（ステップＳ１０）。そして、制御部１８は、筐体２３の内部の温度が所定の範囲以内であるか否かを判断する（ステップＳ１１）。筐体２３の内部の温度が所定の範囲以内にない場合（ステップＳ１１：Ｎｏ）、制御部１８は、温度センサ１７により筐体２３の内部の温度を測定しながら、加熱冷却装置２２によって筐体２３の内部の温度が所定の温度になるまで、筐体２３の内部の温度を調整する（ステップＳ１２）。
【００４４】
一方、筐体２３の内部の温度が所定の範囲以内である場合（ステップＳ１１：Ｙｅｓ）、制御部１８は、温度センサ１６によって、ホログラフィック情報記録媒体１の表面温度を測定する（ステップＳ１３）。そして、制御部１８は、ホログラフィック情報記録媒体１の表面温度と筐体２３の内部の温度との温度差が予め定めた所定範囲以内であるか否かを判断する（ステップＳ１４）。その温度差が所定範囲以内である場合（ステップＳ１４：Ｙｅｓ）、ステップＳ２１の処理へ進む。
【００４５】
一方、その温度差が所定範囲以内にない場合（ステップＳ１４：Ｎｏ）、制御部１８は、ホログラフィック情報記録媒体１へ情報の記録中（または再生中）であるか否かを判断する（ステップＳ１５）。ホログラフィック情報記録媒体１へ情報の記録中（または再生中）である場合（ステップＳ１５：Ｙｅｓ）、制御部１８は、ホログラフィック情報記録媒体１の回転駆動を停止して、情報の記録（または再生）を停止し（ステップＳ１６）、ステップＳ１７の処理へ進む。
【００４６】
ホログラフィック情報記録媒体１へ情報の記録中（または再生中）でない場合（ステップＳ１５：Ｎｏ）、制御部１８は、駆動部１９を介してステッピングモータ１５により、高速回転速度でのホログラフィック情報記録媒体１の回転駆動を開始する（ステップＳ１７）。
【００４７】
次に、制御部１８は、温度センサ１６によって、ホログラフィック情報記録媒体１の表面温度を測定する（ステップＳ１８）。そして、制御部１８は、ホログラフィック情報記録媒体１の表面温度と筐体２３の内部の温度との温度差が予め定めた所定範囲以内であるか否かを判断する（ステップＳ１９）。その温度差が所定範囲以内にない場合（ステップＳ１９：Ｎｏ）、ステップＳ１８に戻って処理を繰り返す。
【００４８】
一方、その温度差が所定範囲以内にある場合（ステップＳ１９：Ｙｅｓ）、制御部１８は、高速回転速度でのホログラフィック情報記録媒体１の回転駆動を停止する（ステップＳ２０）。
【００４９】
そして、制御部１８は、ホログラフィック情報記録媒体１を回転駆動させ、情報の記録（または情報の再生）を開始する（ステップＳ２１）。制御部１８は、所望の情報を記録（再生）したか否かを判断する（ステップＳ２２）。所望の情報を記録（再生）していない場合（ステップＳ２２：Ｎｏ）、ステップＳ１３に戻って処理を繰り返す。一方、所望の情報を記録（再生）した場合（ステップＳ２２：Ｙｅｓ）、処理を終了する。
【００５０】
このように、実施の形態１のホログラフィック情報記録再生装置１００では、所定のタイミングでホログラフィック情報記録媒体１を高速回転速度で回転駆動させることで、ホログラフィック情報記録媒体１の表面に気流を発生させる。そして、発生した気流によって、ホログラフィック情報記録媒体１と筐体２３の内部との熱交換を効率よく行って、ホログラフィック情報記録媒体１の温度を効率よく調整することができる。
【００５１】
また、実施の形態１のホログラフィック情報記録再生装置１００では、ホログラフィック情報記録媒体１に近接させる温度調節機構を設ける必要がないため、簡易な構成で温度制御が可能となり、装置を小型化できる。
【００５２】
また、実施の形態１のホログラフィック情報記録再生装置１００では、ホログラフィック情報記録媒体１の温度を効率よく調整できるため、ホログラフィック情報記録媒体１をホログラフィック情報記録再生装置１００に装着してから記録または再生を開始するまでの時間を短縮することができる。
【００５３】
（実施の形態２）
以下の実施の形態では、実施の形態１のホログラフィック情報記録媒体１をカートリッジに収容した場合について説明する。
【００５４】
図５−１は、カートリッジ２４に収容されたホログラフィック情報記録媒体１の正面図である。図５−２は、カートリッジ２４に収容されたホログラフィック情報記録媒体１を図５−１におけるＡ方向から見た側面図である。図５−３は、カートリッジ２４に収容されたホログラフィック情報記録媒体１を図５−１におけるＢ方向から見た側面図である。図５−４は、カートリッジ２４に収容されたホログラフィック情報記録媒体１を図５−１におけるＣ方向から見た底面図である。
【００５５】
図５−１〜５−４に示すように、ホログラフィック情報記録媒体１は、カートリッジ２４に収容されている（ホログラフィック情報記録媒体パッケージ）。そして、カートリッジ２４には、記録時や再生時においてホログラフィック情報記録媒体１に照射される情報光と参照光とが通過可能であって、かつホログラフィック情報記録再生装置１００にホログラフィック情報記録媒体１を回転可能に取り付ける取付部材２５が通過可能なＵ字形状に開口された記録再生口兼連絡口２６が設けられている。カートリッジ２４の側面には、ホログラフィック情報記録媒体１が回転駆動することによって発生した気流が通過可能な長方形形状の整流口２７が設けられている。
【００５６】
次に、ホログラフィック情報記録再生装置の構成は実施の形態１と同様であるため、図１を参照して説明する。本実施の形態の温度センサ１７は、カートリッジ２４の外部の温度を検出（測定）して、測定した温度を制御部１８に送出するものである。ここで、温度センサ１７以外のホログラフィック情報記録再生装置１００構成および機能、記録方法および再生方法は実施の形態１と同様であるため、説明を省略する。
【００５７】
次に、本実施の形態におけるホログラフィック情報記録再生装置１００による、ホログラフィック情報記録媒体１の温度制御について説明する。温度制御を行うタイミング、高速回転速度については実施の形態１と同様である。
【００５８】
制御部１８は、温度センサ１７で測定されたカートリッジ２４の外部の温度が所定範囲内になるまで、筐体２３の内部の温度を調整する加熱冷却装置２２を用いて、筐体２３の内部の温度を調整する。
【００５９】
そして、制御部１８は、温度センサ１６で測定された表面温度が予め定めた所定温度以上である場合に、その表面温度が所定温度以下になるまで、駆動部１９を介してステッピングモータ１５によりホログラフィック情報記録媒体１を中心軸周り矢印Ｒ方向に高速回転速度で回転駆動させる。また、制御部１８は、温度センサ１６で測定された表面温度と温度センサ１７で測定されたカートリッジ２４の外部の温度の温度差が予め定めた所定範囲外である場合に、その温度差が所定範囲以内の温度に達するまで、駆動部１９を介してステッピングモータ１５によりホログラフィック情報記録媒体１を中心軸周り矢印Ｒ方向に高速回転速度で回転駆動させる。
【００６０】
このように、制御部１８によって、ホログラフィック情報記録媒体１を高速回転速度で回転駆動させることにより、ホログラフィック情報記録媒体１の表面で気流が発生する。そして、発生した気流によってホログラフィック情報記録媒体１とカートリッジ２４の外部との熱交換を効率よく行って、ホログラフィック情報記録媒体１の温度を効率よく調整できる。
【００６１】
次に、このような本実施の形態によるホログラフィック情報記録再生装置１００による温度制御処理の手順について説明する。図６は、実施の形態２によるホログラフィック情報記録再生装置１００による温度制御処理の手順を示すフローチャートである。
【００６２】
ホログラフィック情報記録媒体１に情報を記録する場合、またはホログラフィック情報記録媒体１の情報を再生する場合、まず、制御部１８は、温度センサ１７によって、カートリッジ２４の外部の温度を測定する（ステップＳ３０）。そして、制御部１８は、カートリッジ２４の外部の温度が所定の範囲以内であるか否かを判断する（ステップＳ３１）。筐体２３の内部の温度が所定の範囲以内にない場合（ステップＳ３１：Ｎｏ）、制御部１８は、温度センサ１７によりカートリッジ２４の外部の温度を測定しながら、加熱冷却装置２２によってカートリッジ２４の外部の温度が所定の温度になるまで、筐体２３の内部の温度を調整する（ステップＳ３２）。
【００６３】
一方、カートリッジ２４の外部の温度が所定の範囲以内である場合（ステップＳ３１：Ｙｅｓ）、制御部１８は、温度センサ１６によって、ホログラフィック情報記録媒体１の表面温度を測定する（ステップＳ３３）。そして、制御部１８は、ホログラフィック情報記録媒体１の表面温度とカートリッジ２４の外部の温度との温度差が予め定めた所定範囲以内であるか否かを判断する（ステップＳ３４）。その温度差が所定範囲以内である場合（ステップＳ３４：Ｙｅｓ）、ステップＳ４１の処理へ進む。
【００６４】
一方、その温度差が所定範囲以内にない場合（ステップＳ３４：Ｎｏ）、制御部１８は、ホログラフィック情報記録媒体１へ情報の記録中（または再生中）であるか否かを判断する（ステップＳ３５）。ホログラフィック情報記録媒体１へ情報の記録中（または再生中）である場合（ステップＳ３５：Ｙｅｓ）、制御部１８は、ホログラフィック情報記録媒体１の回転駆動を停止して、情報の記録（または再生）を停止し（ステップＳ３６）、ステップＳ３７の処理へ進む。
【００６５】
ホログラフィック情報記録媒体１へ情報の記録中（または再生中）でない場合（ステップＳ３５：Ｎｏ）、制御部１８は、駆動部１９を介してステッピングモータ１５により、高速回転速度でのホログラフィック情報記録媒体１の回転駆動を開始する（ステップＳ３７）。
【００６６】
次に、制御部１８は、温度センサ１６によって、ホログラフィック情報記録媒体１の表面温度を測定する（ステップＳ３８）。そして、制御部１８は、ホログラフィック情報記録媒体１の表面温度とカートリッジ２４の外部の温度との温度差が予め定めた所定範囲以内であるか否かを判断する（ステップＳ３９）。その温度差が所定範囲以内にない場合（ステップＳ３９：Ｎｏ）、ステップＳ３８に戻って処理を繰り返す。
【００６７】
一方、その温度差が所定範囲以内にある場合（ステップＳ３９：Ｙｅｓ）、制御部１８は、高速回転速度でのホログラフィック情報記録媒体１の回転駆動を停止する（ステップＳ４０）。
【００６８】
そして、制御部１８は、ホログラフィック情報記録媒体１を回転駆動させ、情報の記録（または情報の再生）を開始する（ステップＳ４１）。制御部１８は、所望の情報を記録（再生）したか否かを判断する（ステップＳ４２）。所望の情報を記録（再生）していない場合（ステップＳ４２：Ｎｏ）、ステップＳ３３に戻って処理を繰り返す。一方、所望の情報を記録（再生）した場合（ステップＳ４２：Ｙｅｓ）、処理を終了する。
【００６９】
このように、実施の形態２のホログラフィック情報記録再生装置１００では、所定のタイミングでホログラフィック情報記録媒体１を高速回転速度で回転駆動させることで、ホログラフィック情報記録媒体１の表面に気流を発生させる。そして、発生した気流によって、ホログラフィック情報記録媒体１とカートリッジ２４の外部との熱交換を効率よく行って、ホログラフィック情報記録媒体１の温度を効率よく調整することができる。
【００７０】
また、実施の形態２のホログラフィック情報記録再生装置１００では、ホログラフィック情報記録媒体１に近接させる温度調節機構を設ける必要がないため、簡易な構成で温度制御が可能となり、装置を小型化できる。
【００７１】
また、実施の形態２のホログラフィック情報記録再生装置１００では、ホログラフィック情報記録媒体１の温度を効率よく調整できるため、ホログラフィック情報記録媒体１をホログラフィック情報記録再生装置１００に装着してから記録または再生を開始するまでの時間を短縮することができる。
【００７２】
さらに、実施の形態２のホログラフィック情報記録再生装置１００では、カートリッジ２４に収容されているホログラフィック情報記録媒体１を用いるが、カートリッジ２４の側面に整流口２７が設けられているため、発生した気流をホログラフィック情報記録媒体１からカートリッジ２４の外部へ効率よく通過させることができる。
【００７３】
（実施例）
次に、実施の形態１、２におけるホログラフィック情報記録再生装置１００とホログラフィック情報記録媒体１を用いて、実際に実施した高速回転速度でのホログラフィック情報記録媒体１の回転の例について説明する。まず、ホログラフィック情報記録媒体１の作製、およびホログラフィック情報記録再生装置について説明する。
【００７４】
［光記録媒体の作製］
以下の実施例では、下記の手順でホログラフィック情報記録媒体１を作製した。まず、ビニルカルバゾール４．８ｇとイルガキュア７８４（チバスペシャルティケミカルズ社製）０．１５ｇを加えて攪拌しモノマー溶液Ａを調製した。次に、１，４−ブタンジオールジグリシジルエーテル１０．１ｇとジエチレントリアミン３．６ｇを混合してエポキシ溶液Ｂを調製した。Ａのモノマー溶液１．５ｍｌとＢのエポキシ溶液８．５ｍｌを混合、脱泡してホログラフィック情報記録媒体１の前駆体を調製した。
【００７５】
そして、ガラス基板（５０ｍｍ＊５０ｍｍ＊０．５ｍｍ）の主面上にフッ素樹脂からなる厚さ２５０μｍのスペーサを載置し、その間に上述で得た混合溶液をキャストした。キャスト後、別途準備したガラス基板（５０ｍｍ＊５０ｍｍ＊０．５ｍｍ）を対向配置し、さらに一様圧力を加えることにより、上記混合溶液を厚さ２５０μｍにまで延伸した。最後に５０℃で１０時間加熱して厚さ２５０μmの記録領域をもつクーポン状のホログラフィック情報記録媒体１を作成した。なお、一連の作業は、情報記録層が感光しないように、波長６００ｎｍより短い光が遮光されている室内で行った。
【００７６】
［ホログラフィック情報記録再生装置］
ホログラフィック情報記録再生装置は、図１に示す構成のものを用いた。半導体レーザ装置２としては、窒化ガリウム系の半導体レーザ素子（波長４０５ｎｍ）を、空間光変調器７としてはデジタルミラーデバイスを用い、２次元撮像素子１０としてはＣＣＤを用いた。
【００７７】
［比較例１］
比較例１では、実施の形態１のホログラフィック情報記録再生装置１００において、ホログラフィック情報記録媒体１を高速回転速度で回転していない場合、すなわち温度制御を行っていない場合について説明する。比較例１では、２５℃に保たれた室内に、図１に示したホログラフィック情報記録再生装置１００を設置し、上述のホログラフィック情報記録媒体１に対して情報の記録を行った。デジタルミラーデバイスなどの空間光変調器７には、図２に示すような２次元情報を表示し、ガルバノミラー１２を駆動し参照光の入射角度を変えることによりホログラフィック情報記録媒体１上の同一領域に角度間隔１°で２０枚のホログラム多重記録を行った。２次元情報は、１２８×１２８ピクセルで構成され、隣接する４×４の１６画素を１単位とし１６画素中の８画素を明点とする変調方法を用いた。
【００７８】
記録時に温度センサ１６、温度センサ１７で測定された温度は共に３５℃であった。情報の記録後、ホログラフィック情報記録媒体１に対して波長４０５ｎｍ発光ダイオードを照射し安定化を行った。ホログラフィック情報記録媒体１の安定化処理後、加熱冷却装置２２を稼動しない状態で３０分経過したところ、温度センサ１６、温度センサ１７で測定された温度はともに４２℃まで上昇した。この段階で、上述で記録した情報（ホログラム）の再生を行ったところ、２０枚のホログラムから再生された情報のエラーレートは２×１０−１であった。
【００７９】
次に、温度センサ１７で測定される温度をもとに、制御部１８、加熱冷却装置２２により筐体２３の内部の温度を３５℃に冷却した。温度センサ１７の示す温度が３５℃に達した時点での温度センサ１６が示した値は３８℃であり、この段階で情報再生を行ったところ平均エラーレートは２×１０−２であった。
【００８０】
次に、制御部１８、加熱冷却装置２２により、温度センサ１７が３５℃を示すように維持した状態で、温度センサ１６によりホログラフィック情報記録媒体１の表面温度を測定し続けたところ、温度センサ１６の測定温度が３５℃に達したのは約５分後であり、この段階で情報再生を行ったところ平均エラーレートは７×１０−４であった。
【００８１】
［実施例１］
実施例１では、実施の形態１のホログラフィック情報記録再生装置１００において、ホログラフィック情報記録媒体１を高速回転速度で回転した場合、すなわち温度制御を行った場合について説明し、上述した比較例１と比較する。再び加熱冷却装置２２の電源を切り、温度センサ１６、温度センサ１７の示す温度が４２℃になるまで待った後、上述と同様の手順で温度センサ１７の示す温度が３５℃になるまで筐体２３の内部の冷却を行った。この時点で温度センサ１６が示した値は上述と同じく３８℃であり、情報再生の平均エラーレートは２×１０−２であった。
【００８２】
次に、温度センサ１７の示す温度が３５℃に達した時点から、制御部１８、駆動部１９、ステッピングモータ１５によりホログラフィック情報記録媒体１を１５０ｒｐｍの回転数で回転させた。制御部１８、加熱冷却装置２２により、温度センサ１７が３５℃を示すように維持し、かつステッピングモータ１５によりホログラフィック情報記録媒体１を回転させた状態で、温度センサ１６によりホログラフィック情報記録媒体１の表面温度を測定し続けたところ、約１分後に温度センサ１６の測定温度が３５℃に達した。この段階で情報の再生を行うと平均エラーレートは６×１０−４であった。このように、ホログラフィック情報記録媒体１を回転させることにより、効率よくホログラフィック情報記録媒体１の温度制御ができることが示された。
【００８３】
［比較例２］
比較例２では、実施の形態２のホログラフィック情報記録再生装置１００において、温度制御を行っていない場合について説明する。比較例２では、図５−１〜５−４に示すようなカートリッジを有するホログラフィック情報記録媒体１を用いる。図５−１〜５−４に示したホログラフィック情報記録媒体１を収容するカートリッジ２４には、取付部材２５と、記録再生口兼連結口２６と、整流口２７とが設けられている。上述の比較例１と同様に、２５℃に保たれた室内で図５−１〜５−４に示したホログラフィック情報記録媒体１をホログラフィック情報記録再生装置１００に装着し情報の記録、発光ダイオードによる安定化を行った。ホログラフィック情報記録媒体１は、ステッピングモータ１５と連結し、カートリッジ２４はホログラフィック情報記録媒体１が自由に回転できるように別途筐体２３に固定した。
【００８４】
情報記録時に温度センサ１６、温度センサ１７で測定された温度は共に３５℃であった。比較例１と同様に、加熱冷却装置２２を稼動しない状態で３０分経過したところ、温度センサ１６、温度センサ１７で測定される温度はともに４２℃まで上昇した。
【００８５】
次に、温度センサ１７で測定される温度をもとに、制御部１８、加熱冷却装置２２により筐体２３の内部の温度を３５℃に冷却した。温度センサ１７の示す温度が３５℃に達した時点での温度センサ１６が示した値は３９℃であり、この段階で情報再生を行ったところ平均エラーレートは３×１０−２であった。
【００８６】
次に、制御部１８、加熱冷却装置２２により、温度センサ１７が３５℃を示すように維持した状態で、温度センサ１６によりホログラフィック情報記録媒体１の表面温度を測定し続けたところ、温度センサ１６の測定温度が３５℃に達したのは約８分後であり、この段階で情報再生を行ったところ平均エラーレートは８×１０−４であった。
【００８７】
［実施例２］
実施例２では、実施の形態２のホログラフィック情報記録再生装置１００において、温度制御を行った場合について説明し、上述した比較例２と比較する。再び加熱冷却装置２２の電源を切り、温度センサ１６、温度センサ１７の示す温度が４２℃になるまで待った後、上述と同様の手順で温度センサ１７の示す温度が３５℃になるまで筐体２３の内部を冷却した。この時点で温度センサ１６が示した値は上述と同じく３９℃であり、情報再生の平均エラーレートは３×１０−２であった。
【００８８】
次に、温度センサ１７の示す温度が３５℃に達した時点から、制御部１８、駆動部１９、ステッピングモータ１５によりホログラフィック情報記録媒体１を１５０ｒｐｍの回転数で回転させた。制御部１８、加熱冷却装置２２により、温度センサ１７が３５℃を示すように維持し、かつステッピングモータ１５によりホログラフィック情報記録媒体１を回転させた状態で、温度センサ１６によりホログラフィック情報記録媒体１の表面温度を測定し続けたところ、約２分後に温度センサ１６の測定温度が３５℃に達した。この段階で情報の再生を行うとの平均エラーレートは７×１０−４であった。このようにホログラフィック情報記録媒体１を回転させることにより、効率よく温度制御ができることが示された。
【００８９】
［比較例３］
比較例３では、実施の形態２のホログラフィック情報記録再生装置１００において、整流口２７が設けられていない場合について説明する。情報記録、図５−１〜５−４に示した安定化済みのホログラフィック情報記録媒体１の整流口２７を全て粘着テープで封止した後、再度ホログラフィック情報記録再生装置１００に装着した。
【００９０】
加熱冷却装置２２の電源を切り、温度センサ１６、温度センサ１７の示す温度が４２℃に上昇した後、上述と同様の手順で温度センサ１７の示す温度が３５℃になるまで筐体２３の内部を冷却した。この時点で温度センサ１６が示した値は４０℃であり、この段階で情報再生を行ったところ平均エラーレートは５×１０−２であった。
【００９１】
次に、制御部１８、加熱冷却装置２２により、温度センサ１７が３５℃を示すように維持した状態で、温度センサ１６によりホログラフィック情報記録媒体１の表面温度を測定し続けたところ、温度センサ１６の測定温度が３５℃に達したのは約１０分後であり、この段階で情報再生を行ったところ平均エラーレートは８×１０−４であった。従って、整流口２７を設けたほうが、より効率よく温度制御ができることがわかる。
【符号の説明】
【００９２】
１    ホログラフィック情報記録媒体
２    半導体レーザ装置
３    旋光用光学素子
４    偏光ビームスプリッタ
５    ビームエキスパンダ
６    ミラー
７    空間光変調器
８    対物レンズ
９    ピックアップレンズ
１０    ２次元撮像素子
１１    旋光用光学素子
１２    ガルバノミラー
１３    リレーレンズ
１５    ステッピングモータ
１６、１７    温度センサ
１８    制御部
１９    駆動部
２０    画像取得部
２１    画像処理部
２２    加熱冷却装置
２３    筐体
２４    カートリッジ
２５    取付部材
２６    記録再生口兼連結口
２７    整流口
１００    ホログラフィック情報記録再生装置
２００    システムコントローラ
【図１】
2010211837.tif 000003
【図２】
2010211837.tif 000004
【図３−１】
2010211837.tif 000005
【図３−２】
2010211837.tif 000006
【図４】
2010211837.tif 000007
【図５−１】
2010211837.tif 000008
【図５−２】
2010211837.tif 000009
【図５−３】
2010211837.tif 000010
【図５−４】
2010211837.tif 000011
【図６】
2010211837.tif 000012